(57)【特許請求の範囲】
【請求項１】
第１のオペレータである第１の基地局を備える干渉物からの干渉をユーザ機器が検出することと、
前記第１の基地局の物理セル識別子が、前記ユーザ機器にサービスを提供する第２の基地局の第２のオペレータと異なるものとして前記第１のオペレータを識別する除去リストに示される場合、前記干渉物からの信号を除去することと、
を含み、ここにおいて、前記除去リストは、前記ユーザ機器がサービスを要求すること、またはブラックリスト中の各基地局に対する測定を報告することを防止するように指定されている前記ブラックリストに基づく、
無線通信の方法。
【請求項２】
前記除去することが、前記第１の基地局に対応する前記物理セル識別子が前記ブラックリストから識別される場合、前記第１の基地局からの前記信号を除去することを含むこと
をさらに備える、請求項１に記載の方法。
【請求項３】
無線通信のための装置であって、
メモリと、
前記メモリと結合された少なくとも１つのプロセッサであって、
第１のオペレータである第１の基地局を備える干渉物からの干渉をユーザ機器が検出し、
前記第１の基地局の物理セル識別子が、前記ユーザ機器にサービスを提供する第２の基地局の第２のオペレータと異なるものとして前記第１のオペレータを識別する除去リストに示される場合、前記干渉物からの信号を除去するように構成されるプロセッサと、を含み、ここにおいて、前記除去リストは、前記ユーザ機器がサービスを要求すること、またはブラックリスト中の各基地局に対する測定を報告することを防止するように指定されている前記ブラックリストに基づく、
装置。
【請求項４】
前記少なくとも１つのプロセッサはさらに、前記第１の基地局に対応する前記物理セル識別子が前記ブラックリストから識別される場合、前記第１の基地局からの前記信号を除去することによって、前記信号を除去するように構成される、
請求項３に記載の装置。
【請求項５】
第１のオペレータである第１の基地局を備える干渉物からの干渉をユーザ機器が検出するステップと、
前記第１の基地局の物理セル識別子が、前記ユーザ機器にサービスを提供する第２の基地局の第２のオペレータと異なるものとして前記第１のオペレータを識別する除去リストに示される場合、前記干渉物からの信号を除去するステップと、
をコンピュータに実行させるためのプログラムであって、ここにおいて、前記除去リストは、前記ユーザ機器がサービスを要求すること、またはブラックリスト中の各基地局に対する測定を報告することを防止するように指定されている前記ブラックリストに基づく、
プログラム。
【発明の詳細な説明】
【関連出願の相互参照】
【０００１】
本願は、Ｒ．Ｐｒａｋａｓｈ他の名義で、２０１１年１２月１日に提出された米国特許仮出願第６１／５６５，６１９号の利益を権利主張し、この開示は、引用によりその全体が本明細書に明確に組み込まれる。
【技術分野】
【０００２】
本開示の態様は、一般的に無線通信システムに関し、より詳細には、改善されたスペクトル共有のためのセル除去および適応可能な無線リンク失敗（ＲＬＦ：radio link failure）トリガに関する。
【背景技術】
【０００３】
無線通信システムが、電話通信、映像、データ、メッセージング、ブロードキャストといったさまざまな電気通信サービスを提供するために、広く展開されている。典型的な無線通信システムは、利用可能なシステムリソース（例えば、帯域幅、送信電力）を共有することにより、複数のユーザとの通信をサポートすることができる多元接続技術を用いることができる。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ：time division synchronous code division multiple access）システムを含む。
【０００４】
これらの多元接続技術は、種々の無線デバイスが都市、国家、地域、および地球全体までものレベルで通信することを可能にする共通プロトコルを提供するために、様々な電気通信規格において採用されてきた。台頭してきた電気通信規格の例は、ロングタームエボリューション（ＬＴＥ）である。ＬＴＥは、第３世代パートナーシッププロジェクト（３ＧＰＰ）によって公表されたユニバーサルモバイル電気通信システム（ＵＭＴＳ）のモバイル規格を向上させたもののセットである。それは、スペクトル効率を改善することによってモバイルブロードバンドインターネット接続をより快適にサポートし、コストを下げ、サービスを向上させ、新しいスペクトルを利用し、および、下りリンク（ＤＬ）にＯＦＤＭＡを、上りリンク（ＵＬ）にＳＣ−ＦＤＭＡを使用し、多入力多出力（ＭＩＭＯ）アンテナ技術を使用して、より適切に他のオープン規格に組み込まれるように設計されている。しかしながら、モバイルブロードバンド接続の需要が増大し続けるにつれて、ＬＴＥ技術における更なる改良の必要性が存在する。望ましくは、これらの改良は、これらの技術を用いる他の多元接続技術および電気通信規格に適用可能であるべきである。
【０００５】
モバイルブロードバンド接続への需要が増加し続けるにつれ、干渉および輻輳したネットワークの可能性は、より多くのＵＥが長距離無線通信ネットワークにアクセスし、より多くの短距離無線システムがコミュニティにおいて採用されるともに、増加する。研究開発が、モバイルブロードバンド接続に対する高まる需要に応じるだけでなく、モバイル通信のユーザ経験を進歩させ向上させるために、ユニバーサルモバイル電気通信システム（ＵＭＴＳ）技術を発展させ続けている。
【発明の概要】
【０００６】
本開示の一態様において、改善されたスペクトル共有のためのセル除去方法が説明される。セル除去方法は、セルからの干渉を検出することを含む。方法はまた、セルに対応する物理セル識別子が除去リストに示される場合、セルからの信号を除去することを含む。
【０００７】
本開示の一態様によると、セル除去のための装置が説明される。装置は、メモリおよびメモリに結合されたプロセッサ（単数または複数）を含む。プロセッサ（単数または複数）は、セルからの干渉を検出するように構成される。プロセッサ（単数または複数）はさらに、セルに対応する物理セル識別子が除去リストに示される場合、セルからの信号を除去するように構成される。
【０００８】
本開示の一態様に係る、セル除去システムのためのコンピュータプログラム製品が説明される。コンピュータプログラム製品は、非一時的なプログラムコードが記録されたコンピュータ読取可能な媒体を含む。プログラムコードは、セルからの干渉を検出するためのプログラムコードを含む。プログラムコードはまた、セルに対応する物理セル識別子が除去リストに示される場合、セルからの信号を除去するためのプログラムコードを含む。
【０００９】
本開示の別の態様に係る、セル除去システムの装置が説明される。装置は、セルからの干渉を検出する手段を含む。装置はまた、セルに対応する物理セル識別子が除去リストに示される場合、セルからの信号を除去する手段を含む。
【００１０】
本開示の別の態様において、改善されたスペクトル共有のための適応可能な無線リンク失敗（ＲＬＦ）トリガ方法が説明される。ＲＬＦトリガ方法は、セルからの干渉を検出することを含む。ＲＬＦトリガ方法はまた、セルに関連する干渉物（interferer）のセル識別にしたがって無線リンク失敗トリガを調節することを含む。
【００１１】
本開示の一態様に係る、適応可能な無線リンク失敗（ＲＬＦ）トリガのための装置が説明される。装置は、メモリおよびメモリに結合されるプロセッサ（単数または複数）を含む。プロセッサ（単数または複数）は、セルからの干渉を検出するように構成される。プロセッサ（単数または複数）はさらに、セルに関連する干渉物のセル識別にしたがって無線リンク失敗トリガを調節するように構成される。
【００１２】
本開示の一態様に係る、適応可能な無線リンク失敗（ＲＬＦ）トリガのためのコンピュータプログラム製品が説明される。コンピュータプログラム製品は、非一時的なプログラムコードを記録したコンピュータ読取可能な媒体を含む。プログラムコードは、セルからの干渉を検出するためのプログラムコードを含む。プログラムコードはまた、セルに関連する干渉物のセル識別にしたがって無線リンク失敗トリガを調節するためのプログラムコードを含む。
【００１３】
本開示の別の態様に係る、適応可能な無線リンク失敗（ＲＬＦ）トリガのための装置が説明される。装置は、セルからの干渉を検出する手段を含む。装置はまた、セルに関連する干渉物のセル識別にしたがって無線リンク失敗トリガを調節する手段を含む。
【００１４】
これは、以下の詳細な説明がより良く理解されうるように、本開示の特徴および技術的利点をどちらかといえば幅広く概説している。本開示のさらなる特徴および利点が以下に説明される。この開示が、本開示と同じ目的を実行するための他の構造を変更または設計するための基礎として容易に利用されうることは、当業者によって理解されるべきである。また、そのような等価の構成が、添付された特許請求の範囲に記載の本開示の教示から逸脱しないことも、当業者によって理解されるべきである。さらなる目的および利点とともに、本開示の構成および動作の方法の両方について、本開示の特徴であると考えられる新規な特徴は、添付図面と関連して考慮されるとき、以下の説明からより良く理解されるであろう。しかしながら、各々の図は、例示および説明のみの目的で提供され、本開示の限定の定義として意図されるものではないことが、明確に理解されるべきである。
【００１５】
本開示の特徴、性質および利点は、同様の参照文字が全体を通して対応するものを特定する図面とともに考慮されるとき、以下の詳細な説明から、より明らかになるだろう。
【図面の簡単な説明】
【００１６】
【図１】図１は、ネットワークアーキテクチャの例を示す図である。
【図２】図２は、アクセスネットワークの例を示す図である。
【図３】図３は、ＬＴＥにおける下りリンクフレーム構造の例を示す図である。
【図４】図４は、ＬＴＥにおける上りリンクフレーム構造の例を示す図である。
【図５】図５は、ユーザプレーンおよび制御プレーンのための無線プロトコルアーキテクチャの例を示す図である。
【図６】図６は、アクセスネットワークにおける発展型ノードＢおよびユーザ機器の例を示す図である。
【図７】図７は、本開示の態様に係る、同一の地理的な領域の異なるオペレータ間のスペクトル共有を示す図である。
【図８】図８は、本開示の態様に係る、改善されたスペクトル共有を提供するためのセル除去のための方法を示すブロック図である。
【図９】図９は、セル除去システムを用いる装置のためのハードウェア実現の例を示す図である。
【図１０】図１０は、本開示の態様に係る、改善されたスペクトル共有のための適応可能な無線リンク失敗トリガのための方法を示すブロック図である。
【図１１】図１１は、適応可能な無線リンク失敗システムを用いる装置のためのハードウェア実現の例を示す図である。
【詳細な説明】
【００１７】
添付の図面に関連して以下で述べられる詳細な説明は、さまざまな構成の説明として意図されており、ここで説明される概念が実行され得る構成のみを表すようには意図されていない。詳細な説明は、様々な概念の完全な理解を提供することを目的とした特定の詳細を含む。しかしながら、これらの概念がこれらの特定の詳細なしに実現され得るということは、当業者にとって明らかであろう。いくつかの例では、既知の構造およびコンポーネントは、このような概念を不明瞭にしないようにブロック図の形態で示される。本明細書において説明されるように、「および／または」という用語の使用は、「包含的論理和（inclusive OR）」を表すことが意図され、「または」という用語の使用は、「排他的論理和（exclusive OR）」を表すことが意図される。
【００１８】
電気通信システムの態様が、様々な装置および方法を参照して示される。これらの装置および方法は、さまざまなブロック、モジュール、コンポーネント、回路、ステップ、処理、アルゴリズム、等（まとめて「エレメント」と呼ばれる）によって、以下の詳細な説明において説明され、添付の図面で示される。これらのエレメントは、電子ハードウェア、コンピュータソフトウェア、またはそれらの任意の組み合わせを使用して実現されることができる。そのようなエレメントがハードウェアとして実現されるかソフトウェアとして実現されるかは、システム全体に課された特定の用途および設計の制約に依存する。
【００１９】
例として、エレメントまたはエレメントの任意の一部、あるいはエレメントの任意の組み合わせが、１つまたは複数のプロセッサを含む「処理システム」を用いて実現されうる。プロセッサの例には、本開示を通して説明されるさまざまな機能を実行するように構成された、マイクロプロセッサ、マイクロコントローラ、デジタルシグナルプロセッサ（ＤＳＰ）、フィールドプログラマブルゲートアレイ（ＦＰＧＡ）、プログラマブルロジックデバイス（ＰＬＤ）、ステートマシン、ゲートロジック、離散ハードウェア回路、および他の適切なハードウェアが含まれる。処理システムにおける１つ以上のプロセッサは、ソフトウェアを実行することができる。ソフトウェアは、ソフトウェア、ファームウェア、ミドルウェア、マイクロコード、ハードウェア記述言語と呼ばれる場合も、それ以外の名称で呼ばれる場合も、命令、命令のセット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数、等を意味するものと広く解釈されるべきである。
【００２０】
したがって、１つまたは複数の典型的な実施形態では、説明された機能は、ハードウェア、ソフトウェア、ファームウェア、またはこれらの任意の組み合わせで実現されうる。ソフトウェアで実現される場合、これらの機能は、コンピュータ読取可能な媒体上に、１つまたは複数の命令またはコードとして記憶されるか、あるいは１つまたは複数の命令またはコードとして符号化されうる。コンピュータ読取可能な媒体は、コンピュータ記憶媒体を含む。記憶媒体は、コンピュータによってアクセス可能な任意の入手可能な媒体であることができる。限定ではなく例として、そのようなコンピュータ読取可能な媒体は、ＲＡＭ、ＲＯＭ、ＥＥＰＲＯＭ、ＣＤ−ＲＯＭもしくは他の光学ディスク記憶媒体、磁気ディスク記憶媒体もしくは他の磁気記憶デバイス、もしくは命令あるいはデータ構造の形態で望ましいプログラムコードを搬送もしくは格納するために使用され得、コンピュータによってアクセスされ得る任意の他の媒体を備え得る。ディスク（disk）およびディスク（disc）は、本明細書において使用される場合、コンパクトディスク（disc）（ＣＤ）、レーザディスク（登録商標）（disc）、光ディスク（disc）、デジタル多用途ディスク（disc）（ＤＶＤ）、フロッピー（登録商標）ディスク（disk）、およびブルーレイ（登録商標）ディスク（disc）を含み、ディスク（disk）は普通、磁気的にデータを再生するが、ディスク（disc）は、レーザを用いて光学的にデータを再生する。上記の組み合わせもまた、コンピュータ読取可能な媒体の範囲内に含まれるべきである。
【００２１】
図１は、ＬＴＥネットワークアーキテクチャ１００を示す図であり、セル除去および適応可能な無線リンク失敗トリガは、本開示の態様に係る、改善されたスペクトル共有を提供するために実現されることができる。ＬＴＥネットワークアーキテクチャ１００は、発展型パケットシステム（ＥＰＳ：Evolved Packet System）１００と呼ばれることができる。ＥＰＳ１００は、１つ以上のユーザ機器（ＵＥ）１０２、発展型ＵＭＴＳ地上無線アクセスネットワーク（Ｅ−ＵＴＲＡＮ）１０４、発展型パケットコア（ＥＰＣ）１１０、ホームサブスクライバサーバ（ＨＳＳ）１２０、およびオペレータのＩＰサービス１２２を含むことができる。ＥＰＳは、他のアクセスネットワークと相互接続することができるが、簡潔化のために、それらのエンティティ／インターフェースは図示しない。図示されているように、ＥＰＳはパケット交換サービスを提供するが、当業者が容易に理解するように、本開示全体を通して提示されるさまざまな概念は、回路交換サービスを提供するネットワークに拡張されることができる。
【００２２】
Ｅ−ＵＴＲＡＮは、発展型ノードＢ（ｅノードＢ）１０６および他のｅノードＢ１０８を含む。ｅノードＢ１０６は、ＵＥ１０２に対してユーザおよび制御プレーンプロトコル終端を提供する。ｅノードＢ１０６は、バックホール（例えば、Ｘ２インターフェース）を介して他のｅノードＢ１０８に接続されることができる。ｅノードＢ１０６はまた、基地局、基地トランシーバ局、無線基地局、無線トランシーバ、トランシーバ機能、ベーシックサービスセット（ＢＳＳ：basic service set）、拡張サービスセット（ＥＳＳ：extended service set）、または何らかの他の適切な専門用語で呼ばれることができる。ｅノードＢ１０６は、ＵＥ１０２のためのＥＰＣ１１０へのアクセスポイントを提供する。ＵＥ１０２の例は、セルラー電話、スマートフォン、セッション開始プロトコル（ＳＩＰ）電話、ラップトップ、携帯情報端末（ＰＤＡ）、衛星ラジオ、全地球測位システム、マルチメディアデバイス、映像デバイス、デジタルオーディオプレイヤ（たとえば、ＭＰ３プレイヤ）、カメラ、ゲーム機器、または任意の他の同様の機能を有するデバイスを含む。ＵＥ１０２は、当業者によって、モバイル局、加入者局、モバイルユニット、加入者ユニット、無線ユニット、遠隔ユニット、モバイルデバイス、無線デバイス、無線通信デバイス、遠隔デバイス、モバイル加入者局、アクセス端末、モバイル端末、無線端末、遠隔端末、ハンドセット、ユーザエージェント、モバイルクライアント、クライアント、あるいはその他適切な用語でも称されうる。
【００２３】
ｅノードＢ１０６は、例えばＳ１インターフェースを介して、ＥＰＣ１１０に接続される。ＥＰＣ１１０は、モビリティ管理エンティティ（ＭＭＥ）１１２、他のＭＭＥ１１４、サービングゲートウェイ１１６、パケットデータネットワーク（ＰＤＮ）ゲートウェイ１１８を含む。ＭＭＥ１１２は、ＵＥ１０２とＥＰＣ１１０との間のシグナリングを処理する制御ノードである。一般的に、ＭＭＥ１１２はベアラおよび接続管理を提供する。全てのユーザＩＰパケットは、自身がＰＤＮゲートウェイ１１８に接続された、サービングゲートウェイ１１６を通って転送される。ＰＤＮゲートウェイ１１８は、ＵＥのＩＰアドレスの割り当てならびに他の機能を提供する。ＰＤＮゲートウェイ１１８は、オペレータのＩＰサービス１２２に接続される。オペレータのＩＰサービス１２２は、インターネット、イントラネット、ＩＰマルチメディアサブシステム（ＩＭＳ）、およびＰＳストリーミングサービス（ＰＳＳ）を含むことができる。
【００２４】
図２は、ＬＴＥネットワークアーキテクチャにおけるアクセスネットワーク２００の例を示す図である。この例では、アクセスネットワーク２００が、多数のセルラー領域（セル）２０２に分割されている。１つ以上のより低い電力クラスのｅノードＢ２０８は、セル２０２のうちの１つ以上と重複するセルラー領域２１０を有することができる。より低い電力クラスのｅノードＢ２０８は、リモート無線ヘッド（ＲＲＨ：remote radio head）、フェムトセル（例えば、ホームｅノードＢ（ＨｅＮｏｄｅＢ））、ピコセル、またはマイクロセルであることができる。マクロｅノードＢ２０４が各々、セル２０２のそれぞれ１つに割り当てられ、セル２０２におけるすべてのＵＥ２０６のために、ＥＰＣ１１０へのアクセスポイントを提供するように構成される。アクセスネットワーク２００のこの例には集中制御装置が存在しないが、代替の構成では、集中制御装置が使用されることができる。ｅノードＢ２０４は、無線ベアラ制御、アドミッション制御、モビリティ制御、スケジューリング、セキュリティ、およびサービングゲートウェイ１１６への接続性を含む、無線関連のすべての機能を担当する。
【００２５】
アクセスネットワーク２００によって用いられる変調および複数のアクセススキームは、展開されている特定の電気通信規格に依存して、変わり得る。ＬＴＥの応用例では、ＯＦＤＭが下りリンクに使用され、ＳＣ−ＦＤＭＡが上りリンクに使用され、周波数分割複信（ＦＤＤ）および時分割複信（ＴＤＤ）の両方をサポートする。以下の詳細な説明から当業者が容易に理解するように、本明細書に提示されるさまざまな概念は、ＬＴＥの応用例によく適している。しかしながら、これらの概念は、他の変調および多元接続技術を用いる他の電気通信規格に容易に拡張されることができる。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張されることができる。ＥＶ−ＤＯおよびＵＭＢは、ＣＤＭＡ２０００の一群の規格の一部として第３世代パートナーシッププロジェクト２（３ＧＰＰ２）により発表されたエアインターフェース規格であり、モバイル局にブロードバンドインターネットアクセスを提供するためにＣＤＭＡを用いる。これらの概念はまた、広帯域ＣＤＭＡ（Ｗ−ＣＤＭＡ）、およびＴＤ−ＳＣＤＭＡのようなＣＤＭＡの他の変形例を用いるユニバーサル地上無線アクセス（ＵＴＲＡ）、ＴＤＭＡを用いる移動体通信のための全世界システム（ＧＳＭ（登録商標））、ＯＦＤＭＡを用いる、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、およびフラッシュＯＦＤＭに拡張されることもできる。ＵＴＲＡ、Ｅ−ＵＴＲＡ、ＵＭＴＳ、ＬＴＥ、およびＧＳＭは、３ＧＰＰの組織からの文書において説明されている。ＣＤＭＡ２０００およびＵＭＢは、３ＧＰＰ２の組織からの文書において説明されている。用いられる実際の無線通信規格および多元接続技術は、システムに課された特定の用途および全体的な設計の制約に依存するだろう。
【００２６】
ｅノードＢ２０４は、ＭＩＭＯ技術をサポートする複数のアンテナを有し得る。ＭＩＭＯ技術の使用は、ｅノードＢ２０４に、空間ドメインを利用して、空間多重、ビームフォーミング、および送信ダイバーシティをサポートすることを可能にさせる。空間多重は、異なるデータストリームを同一の周波数で同時に送信するために使用されることができる。それらのデータストリームは、データレートを増すために単一のＵＥ２０６に、または、全システム容量を増加させるために複数のＵＥ２０６に、送信されることができる。これは、各データストリームを、空間的にプリコーディング（すなわち、振幅および位相のスケーリングを適用）することと、空間的にプリコーディングされた各ストリームを、下りリンクで複数の送信アンテナによって送信することとによって達成される。空間的にプリコーディングされたデータストリームは、異なる空間シグネチャとともに（単数または複数の）ＵＥ２０６へと到達し、それは、（単数または複数の）ＵＥ２０６の各々に、そのＵＥ２０６に宛てられた１つ以上のデータストリームを回復することを可能にさせる。上りリンクでは、各ＵＥ２０６は、空間的にプリコーディングされたデータストリームを送信し、それは、ｅノードＢ２０４に、空間的にプリコーティングされた各データストリームのソースを識別することを可能にさせる。
【００２７】
空間多重は一般的に、チャネル状況が良好な場合に使用される。チャネル状況がさほど良好でない場合には、ビームフォーミングが使用され、１つ以上の方向に送信エネルギーを集中させることができる。これは、複数のアンテナによる送信のためにデータを空間的にプリコーディングすることによって、達成されることができる。セル端での良好なカバレッジを達成するために、単一のストリームのビームフォーミング送信が、送信ダイバーシティとの組み合わせで使用されることができる。
【００２８】
以下の詳細な説明では、アクセスネットワークのさまざまな態様が、下りリンクにおいてＯＦＤＭをサポートするＭＩＭＯシステムに関連して説明される。ＯＦＤＭは、ＯＦＤＭシンボル内の多くのサブキャリアに渡るデータを変調する広域スペクトル技法である。これらのサブキャリアは、精確な周波数間隔があけられている。この間隔は、これらのサブキャリアからのデータの回復を受信機に可能にさせる、「直交性」を提供する。時間領域では、ＯＦＤＭシンボル間干渉を抑制するために、各ＯＦＤＭシンボルにガード・インターバル（たとえば、サイクリックプリフィクス）が追加されることができる。上りリンクは、高いピーク対平均電力比（ＰＡＰＲ：peak-to-average power ratio）を補償するために、ＤＦＴ拡散ＯＦＤＭ信号の形態でＳＣ−ＦＤＭＡを使用することができる。
【００２９】
図３は、ＬＴＥにおける下りリンクフレーム構造の例を示す図３００である。フレーム（１０ｍｓ）が、１０個の等しいサイズのサブフレームに分割され得る。各サブフレームは、２個の連続するタイムスロットを含み得る。リソースグリッドが、２個のタイムスロットを表すために使用されることができ、各タイムスロットは、リソースブロックを含む。リソースグリッドは、複数のリソースエレメントに分割される。ＬＴＥでは、１つのリソースブロックは、周波数領域における１２個の連続するサブキャリアと、各ＯＦＤＭシンボルに１つのノーマルなサイクリックプリフィクスの場合、時間領域における７個の連続するＯＦＤＭシンボルとを含み、すなわち、８４個のリソースエレメントを含む。拡張されたサイクリックプリフィックスでは、リソースブロックは、時間領域における６個の連続するＯＦＤＭシンボルを含み、７２個のリソースエレメントを有する。リソースエレメントのうちのいくつかは、Ｒ３０２、３０４として示されているように、下りリンク基準信号（ＤＬ−ＲＳ）を含む。ＤＬ−ＲＳは、セル固有のＲＳ（ＣＲＳ：Cell-specific RS）（共通ＲＳと呼ばれることもある）３０２と、ＵＥ固有のＲＳ（ＵＥ−ＲＳ：UE-specific RS）３０４とを含む。ＵＥ−ＲＳ３０４は、対応する物理下りリンク共有チャネル（ＰＤＳＣＨ：physical downlink shared channel）がマッピングされたリソースブロックのみで送信される。各リソースエレメントによって搬送されるビット数は、変調スキームに依存する。ゆえに、ＵＥが受信するリソースブロックが多いほど、また、変調スキームが高度であるほど、そのＵＥのためのデータレートは高くなる。
【００３０】
図４は、ＬＴＥにおける上りリンクフレーム構造の例を示す図４００である。上りリンクのために利用可能なリソースブロックは、データセクションおよび制御セクションに分割され得る。制御セクションは、システム帯域幅の両端に形成されることができ、設定可能なサイズを有することができる。制御セクション内のリソースブロックは、制御情報の送信のためにＵＥに割り当てられることができる。データセクションは、制御セクションに含まれないすべてのリソースブロックを含むことができる。上りリンクフレーム構造は、連続するサブキャリアを含むデータセクションを結果としてもたらし、それは、単一のＵＥにデータセクション内の連続するサブキャリアのすべてが割り当てられることを可能にし得る。
【００３１】
ＵＥは、ｅノードＢに制御情報を送信するために、制御セクションにおけるリソースブロック４１０ａ、４１０ｂを割り当てられ得る。このＵＥはまた、ｅノードＢにデータを送信するために、データセクション内のリソースブロック４２０ａ、４２０ｂを割り当てられることができる。このＵＥは、制御セクションにおいて割り当てられたリソースブロックにおける、物理上りリンク制御チャネル（ＰＵＣＣＨ：physical uplink control channel）で、制御情報を送信することができる。このＵＥは、データセクションにおいて割り当てられたリソースブロックにおける、物理上りリンク共有チャネル（ＰＵＳＣＨ：physical uplink shared channel）で、データのみ、またはデータと制御情報の両方を送信することができる。上りリンク送信は、１サブフレーム中の両スロットにわたることができ、周波数にわたってホッピングすることができる。
【００３２】
リソースブロックのセットが、物理ランダムアクセスチャネル（ＰＲＡＣＨ：physical random access channel）４３０における初期システムアクセスを実行し、上りリンクの同期を達成するために使用されることができる。ＰＲＡＣＨ４３０は、ランダムシーケンスを搬送するが、任意の上りリンクデータ／シグナリングを搬送することはできない。各ランダムアクセスプリアンブルは、６個の連続するリソースブロックに対応する帯域幅を占有する。開始周波数は、ネットワークによって指定される。すなわち、ランダムアクセスプリアンブルの送信は、ある特定の時間周波数リソースに限られる。ＰＲＡＣＨには周波数ホッピングは存在しない。ＰＲＡＣＨの試みは、１つのサブフレーム（１ｍｓ）、または少しの隣接するサブフレームのシーケンスにおいて搬送され、ＵＥは、１フレーム（１０ｍｓ）につき１つのみのＰＲＡＣＨの試みを行い得る。
【００３３】
図５は、ＬＴＥにおけるユーザプレーンおよび制御プレーンのための無線プロトコルアーキテクチャの例を示す図５００である。ＵＥおよびｅノードＢのための無線プロトコルアーキテクチャは、レイヤ１、レイヤ２、およびレイヤ３の３つの層で示される。レイヤ１（Ｌ１レイヤ）は、最下位のレイヤであり、物理レイヤのさまざまな信号処理機能を実現する。Ｌ１レイヤは、本明細書において物理レイヤ５０６と呼ばれる。レイヤ２（Ｌ２レイヤ）５０８は、物理レイヤ５０６よりも上位にあり、物理レイヤ５０６を介したＵＥとｅノードＢとの間のリンクを担当する。
【００３４】
ユーザプレーンでは、Ｌ２レイヤ５０８は、媒体アクセス制御（ＭＡＣ：media access control）サブレイヤ５１０、無線リンク制御（ＲＬＣ：radio link control）サブレイヤ５１２、パケットデータコンバージェンスプロトコル（ＰＤＣＰ：packet data convergence protocol）５１４サブレイヤを含み、それらは、ネットワーク側のｅノードＢで終端する。示されていないが、ＵＥは、ネットワーク側のＰＤＮゲートウェイ１１８で終端するネットワークレイヤ（たとえば、ＩＰレイヤ）や、接続の他端（たとえば、遠端のＵＥ、サーバ、等）で終端するアプリケーションレイヤを含む、Ｌ２レイヤ５０８よりも上の、いくつかの上位レイヤを有することができる。
【００３５】
ＰＤＣＰサブレイヤ５１４は、異なる無線ベアラと論理チャネルとの間の多重化を提供する。ＰＤＣＰサブレイヤ５１４はまた、無線送信のオーバーヘッドを減じるために上位レイヤのデータパケットのヘッダの圧縮を提供し、それらのデータパケットを暗号化することによってセキュリティを提供し、ｅノードＢ間でのＵＥのハンドオーバーのサポートを提供する。ＲＬＣサブレイヤ５１２は、上位レイヤのデータパケットのセグメンテーションおよびリアセンブリと、損失データパケットの再送と、ハイブリッド自動再送要求（ＨＡＲＱ）による、順序が乱れた受信を補償するためのデータパケットの並び替えと、を提供する。ＭＡＣサブレイヤ５１０は、論理チャネルとトランスポートチャネルとの間の多重化を提供する。ＭＡＣサブレイヤ５１０はまた、１つのセルにおけるさまざまな無線リソース（たとえば、リソースブロック）の複数のＵＥ間での割り当てを担当する。ＭＡＣサブレイヤ５１０はまた、ＨＡＲＱ演算を担当する。
【００３６】
制御プレーンにおいて、ＵＥおよびｅノードＢのための無線プロトコルアーキテクチャは、制御プレーンではヘッダ圧縮機能がないという点を除き、物理レイヤ５０６およびＬ２レイヤ５０８の場合と実質的に同一である。制御プレーンはまた、レイヤ３（Ｌ３レイヤ）における無線リソース制御（ＲＲＣ：radio resource control）サブレイヤ５１６を含む。ＲＲＣサブレイヤ５１６は、無線リソース（すなわち、無線ベアラ）を取得することと、ｅノードＢとＵＥとの間でＲＲＣシグナリングを使用して下位レイヤを構成することとを担当する。
【００３７】
図６は、アクセスネットワークにおいてＵＥ６５０と通信するｅノードＢ６１０のブロック図である。下りリンクにおいて、コアネットワークからの上位レイヤのパケットが、ｅノードＢ６１０のコントローラ／プロセッサに提供される。コントローラ／プロセッサ６３０は、Ｌ２レイヤの機能性を実現する。下りリンクにおいて、コントローラ／プロセッサ６３０は、ヘッダの圧縮、暗号化、パケットのセグメンテーションおよび並び替え、論理チャネルとトランスポートチャネルとの間での多重化、さまざまな優先順位メトリックに基づいたＵＥ６５０に対する無線リソースの割り当てを提供する。コントローラ／プロセッサ６３０はまた、ＨＡＲＱ演算、損失パケットの再送、ＵＥ６５０へのシグナリングを担当する。
【００３８】
ｅノードＢ６１０の送信プロセッサ６１６は、Ｌ１レイヤ（すなわち、物理レイヤ）のためのさまざまな信号処理機能を実現する。信号処理機能は、ＵＥ６５０における前方誤り訂正（ＦＥＣ：forward error correction）を容易にするように符号化およびインターリーブすることと、さまざまな変調スキーム（たとえば、２相位相変調（ＢＰＳＫ）、４相位相変調（ＱＰＳＫ）、Ｍ相位相変調（Ｍ−ＰＳＫ）、Ｍ値直交振幅変調（Ｍ−ＱＡＭ））に基づいて信号コンステレーションにマッピングすることとを含む。コード化された、ならびに変調されたシンボルはその後並行なストリームに分けられる。そして、各ストリームは、ＯＦＤＭサブキャリアにマッピングされ、時間領域および／または周波数領域において基準信号（たとえば、パイロット）とともに多重化され、そして、逆高速フーリエ変換（ＩＦＦＴ）を使用してともに合成され、時間領域のＯＦＤＭシンボルストリームを搬送する物理チャネルが生成される。ＯＦＤＭストリームは、複数の空間ストリームを生成するために空間的にプリコーディングされる。チャネル推定器６４２からのチャネル推定値が、符号化および変調スキームの決定、ならびに空間処理のために、使用され得る。チャネル推定値は、ＵＥ６５０によって送信された基準信号および／またはチャネル状況のフィードバックから導出され得る。そして、各空間ストリームは、別個の送信機６１８ＴＸを介して異なるアンテナ６２０に提供される。各送信機６１８ＴＸは、送信のためにそれぞれの空間ストリームを用いてＲＦキャリアを変調する。
【００３９】
ＵＥ６５０において、受信機６５４ＲＸの各々は、そのそれぞれのアンテナ６５２によって、信号を受信する。受信機６５４ＲＸの各々は、ＲＦキャリア上に変調された情報を回復し、受信機（ＲＸ）プロセッサ６５６にその情報を提供する。受信プロセッサ６５６は、Ｌ１レイヤのさまざまな信号処理機能を実現する。受信プロセッサ６５６は、ＵＥ６５０に宛てられた任意の空間ストリームを回復するために、その情報に対し空間処理を実行する。複数の空間ストリームがＵＥ６５０に宛てられている場合、それらは、受信プロセッサ６５６により単一のＯＦＤＭシンボルストリームに合成されることができる。そして、受信プロセッサ６５６は、高速フーリエ変換（ＦＦＴ）を使用して、ＯＦＤＭシンボルストリームを時間領域から周波数領域へと変換する。周波数領域の信号は、ＯＦＤＭ信号の各サブキャリアに対する別個のＯＦＤＭシンボルストリームを備える。各サブキャリアにおけるシンボル、および基準信号は、ｅノードＢ６１０によって送信された最も確からしい信号コンステレーションポイントを決定することによって、回復および復調される。これらの軟判定は、チャネル推定器６７２によって計算されたチャネル推定値に基づくことができる。ついで、これらの軟判定は、物理チャネルにおいてｅノードＢ６１０により元々送信されたデータおよび制御信号を回復するために、復号およびデインターリーブされる。そして、データおよび制御信号が、ＵＥ６５０のコントローラ／プロセッサ６６０に提供される。
【００４０】
コントローラ／プロセッサ６６０は、Ｌ２レイヤを実現する。コントローラ／プロセッサ６６０は、プログラムコードおよびデータを記憶するメモリ６６２に関連付けられることができる。メモリ６６２は、コンピュータ読取可能な媒体と称され得る。上りリンクにおいて、コントローラ／プロセッサ６６０は、トランスポートチャネルと論理チャネルとの間でのデマルチプレクシング、パケットのリアセンブリ、暗号解読、ヘッダの圧縮解除、制御信号処理を提供して、コアネットワークからの上位レイヤパケットを回復する。ついで、上位レイヤパケットは、データシンク６５８に提供されるが、それは、Ｌ２レイヤより上位のすべてのプロトコルレイヤを表す。さまざまな制御信号もまた、Ｌ３処理のために、データシンク６５８に提供されることができる。コントローラ／プロセッサ６６０はまた、ＨＡＲＱ演算をサポートするために、肯定応答（ＡＣＫ）および／または否定応答（ＮＡＣＫ）プロトコルを使用した誤り検出を担当する。
【００４１】
上りリンクにおいて、データソース６６４は上部レイヤパケットをコントローラ／プロセッサ６６０に提供するために使用される。データソース６６４は、Ｌ２レイヤより上位のすべてのプロトコルレイヤを表す。ｅノードＢ６１０による下りリンク送信に関連して説明された機能と同様に、コントローラ／プロセッサ６６０は、ヘッダの圧縮、暗号化、パケットのセグメンテーションと並び替え、およびｅノードＢ６１０による無線リソースの割り当てに基づいた論理チャネルとトランスポートチャネルとの間での多重化を提供することにより、ユーザプレーンおよび制御プレーンのためのＬ２レイヤを実現する。コントローラ／プロセッサ６６０はまた、ＨＡＲＱ演算、損失パケットの再送、ｅノードＢ６１０へのシグナリングを担当する。
【００４２】
ｅノードＢ６１０によって送信された基準信号またはフィードバックからチャネル推定器６７２によって導出されたチャネル推定値は、適切な符号化および変調スキームを選択し、空間処理を容易にするために、送信プロセッサ６７０によって使用されることができる。送信プロセッサ６７０によって生成された空間ストリームは、別個の送信機６５４ＴＸを介して異なるアンテナ６５２に提供される。送信機６５４ＴＸの各々は、送信のためにそれぞれの空間ストリームを用いてＲＦキャリアを変調する。
【００４３】
上りリンク送信は、ＵＥ６５０での受信機機能と関係して説明されたものと類似の方式でｅノードＢ６１０で処理される。各受信機６１８ＲＸは、そのそれぞれのアンテナ６２０によって、信号を受信する。各受信機６１８ＲＸは、ＲＦキャリア上に変調された情報を回復し、受信プロセッサ６４０にその情報を提供する。ｅノードＢの受信プロセッサ６４０は、Ｌ１レイヤを実現することができる。
【００４４】
コントローラ／プロセッサ６３０は、Ｌ２レイヤを実現する。コントローラ／プロセッサ６３０は、プログラムコードおよびデータを記憶するメモリ６３２に関連付けられることができる。メモリ６３２は、コンピュータ読取可能な媒体と称され得る。上りリンクにおいて、コントローラ／プロセッサ６３０は、トランスポートチャネルと論理チャネルとの間でのデマルチプレクシング、パケットのリアセンブリ、暗号解読、ヘッダの圧縮解除、制御信号処理を提供して、ＵＥ６５０からの上位レイヤパケットを回復する。コントローラ／プロセッサ６３０からの上位レイヤパケットは、コアネットワークに提供されることができる。コントローラ／プロセッサ６３０はまた、ＨＡＲＱ演算をサポートするために、ＡＣＫおよび／またはＮＡＣＫプロトコルを使用して誤り検出を担当する。
【００４５】
コントローラ／プロセッサ６３０およびコントローラ／プロセッサ６６０は、それぞれ、ｅノードＢ６１０およびＵＥ６５０における動作を指示し得る。コントローラ／プロセッサ６３０および／またはｅノードＢ６１０における他のプロセッサおよびモジュールは、本明細書において説明される技法のためのさまざまな処理の実行を遂行または指示し得る。コントローラ／プロセッサ６６０および／またはＵＥ６５０における他のプロセッサおよびモジュールはまた、方法のフローチャート図８および１０を用いて示した機能ブロック、および／または本明細書において説明される技法のための他の処理の実行を遂行または指示し得る。メモリ６３２および６６２は、それぞれ、ｅノードＢ６１０およびＵＥ６５０のためのデータおよびプログラムコードを記憶し得る。
【００４６】
拡張されたセル間干渉協調（ｅＩＣＩＣ）は、ユーザ機器（ＵＥ）とサービス提供発展型ノードＢ（ｅノードＢ）との間の制御およびデータ送信を可能にするためのいくつかのリソースを産出するために、基地局が互いに通信し合う処理である。ネットワークがｅＩＣＩＣをサポートする場合、ｅノードＢは、干渉するセル（interfering cell）がそのリソースのいくつかを放棄することによって干渉を低減させるおよび／または除去するために、リソースを協調するために互いに交渉し合う。つまり、ＵＥが、干渉するセルにより産出されるリソースを使用することによって、過酷な干渉を有する場合でも、サービス提供セルにアクセスすることができる。
【００４７】
ｅＩＣＩＣをサポートするＵＥのために、無線リンク失敗（ＲＬＦ）条件を分析するための存在する基準は、協調セルの条件に満足に対処し得ない。例えば、ＵＥは、過酷な干渉を有する領域に位置することができる。しかしながら、干渉は、そのリソースの一部を放棄する干渉するセルによって基地局間で協調される。このシナリオにおいて、ＰＤＣＣＨの信号対雑音比（ＳＮＲ）のＵＥ測定値（例えば、復号されたエラー率に基づいた）は、リソースが干渉するセルによって産出されたかに依存して、著しく異なり得る。ＵＥが、干渉するセルによって産出されないリソースのためのＰＤＣＣＨの信号対雑音比を測定する場合、ＵＥは、高干渉によって、無線リンク失敗（ＲＬＦ：radio link failure）を誤って宣言し得る。つまり、ＵＥは、干渉するセルによって産出されるリソースを使用するサービス提供セルにアクセスすることができるが、ＲＬＦがＵＥによって誤って宣言されたので、ＵＥは、サービス提供セルにアクセスすることに失敗する。
【００４８】
図７は、本開示の態様に係る、スペクトル共有を示す図７００である。ここに説明されるように、スペクトル共有は、例えば、スペクトルの権利（spectrum rights）の個々の権限付与モデル（authorization model）に基づいたコグニティブ無線技術（cognitive wireless technologies）にしたがって、スペクトルの共有された使用を許可する、権限付与された共有アクセス（ＡＳＡ：authorized shared access）に言及し得る。共有スペクトルは、ライセンスを受けたスペクトル（licensed spectrum）およびライセンスを受けていないスペクトル（unlicensed spectrum）を含み得る。使用されていないＴＶチャネルを含み得るライセンスを受けていないスペクトルは、一般的に、「ホワイトスペース」と呼ばれる。
【００４９】
ＡＳＡは、公平なスペクトル共有（fair spectrum sharing）を意図する。例えば、別のオペレータのユーザが提示されていない場合、ＵＥは、全帯域幅（Ｂ）にわたるサービスを受信する。公平なスペクトル共有が、両方のオペレータのユーザが存在するエリアで、実行される（例えば、各オペレータのためにＢ／２およびＢ／２）。ＡＳＡはまた、例えば、図７に示されるように、ユーザが別のオペレータのｅノードＢにより近い場合でも、１つのオペレータの顧客が対応するｅノードＢからサービスを受信することを許可する。
【００５０】
図７は、異なるオペレータ間の同一の地理的エリア、隣接するエリア、または部分的に重なるエリア内のスペクトルの一部の共有を図示する。典型的に、第１のオペレータ（「オペレータＡ」）のＵＥ７５０−Ａは、オペレータＡのｅノードＢ７１０−Ａへの接続７７０−Ａを含む。同様に、第２のオペレータ（「オペレータＢ」）のＵＥ７５０−Ｂは、オペレータＢのｅノードＢ７１０−Ｂへの接続７７０−Ｂを含む。残念なことに、図７のスペクトル共有シナリオにおいて、ＵＥ７５０−ＡおよびＵＥ７５０−Ｂは、各々別のオペレータであるｅノードＢ７１０−Ａ／７１０−Ｂにより近いが、より遠い、それ自体のオペレータであるｅノードＢ７１０−Ａ／７１０−Ｂからサービスを受信する。
【００５１】
図７に示されるように、オペレータＡのＵＥ７５０−Ａは、ＵＥ７５０−ＡがｅノードＢ７１０−ＡよりもｅノードＢ７１０−Ｂに近いので、オペレータＢのノードＢ７１０−Ｂから干渉７７４を受信する。同様に、オペレータＢのＵＥ７５０−Ｂは、ＵＥ７５０−ＢがｅノードＢ７１０−Ｂよりも、ｅノードＢ７１０−Ａに近いので、オペレータＡのｅノードＢ７１０−Ａから干渉７７２を受信する。拡張されたセル間干渉協調（eICIC）は、図７に示されるシナリオ内でスペクトル共有を達成するための一般的な枠組みを提供する。
【００５２】
ｅＩＣＩＣ技法は、特定のエリアにおけるオペレータ間の（時間領域における）帯域幅の適切な一部に達するためのバックホールメッセージの交換を含み得る。加えて、ＵＥ７５０−Ａ／７５０−Ｂにおける干渉除去は、ＵＥ７５０−Ａ／７５０−Ｂが、サービスを許可されていないｅノードＢ７１０−Ａ／７１０−Ｂにより近い場合でも、動作を許可し得る。残念なことに、ｅＩＣＩＣ技法は、同一の帯域における、異なるオペレータまたは異なる無線アクセス技術（ＲＡＴｓ）間のスペクトル共有を完全にイネーブルし得ない。ＲＡＴは、無線ローカルエリアネットワーク（ＷＬＡＮ（登録商標））、Ｂｌｕｅｔｏｏｔｈ（登録商標）ネットワーク、または他の同様の無線技術を含むが、それらに限られない。例えば、オペレータＡのＵＥ７５０−Ａは、オペレータＢのｅノードＢ７１０−Ｂからの信号を除去することを所望し得る。さらに、別のオペレータのｅノードＢからの信号を除去することは、十分なパフォーマンスを提供し得ない。
【００５３】
本開示の一態様によると、ｅノードＢ７１０−Ａ／７１０−Ｂは、対応する信号が除去されるであろう物理セル識別子（ＰＣＩｓ）のリストをシグナリングし得る。例えば、ｅノードＢ７１０−Ａは、オペレータＢのｅノードＢ７１０−Ｂに対応するＰＣＩを含むリストをシグナリングし得る。それに応じて、ＵＥ７５０−Ａは、異なるオペレータに属するものとしてｅノードＢ７１０−Ｂを識別することができ、ｅノードＢ７１０−Ｂからの信号を除去することができる。同様に、ｅノードＢ７１０−Ｂは、オペレータＡのｅノードＢ７１０−Ａに対応する物理セル識別子（ＰＣＩ）を含むリストをシグナリングし得る。それに応じて、ＵＥ７５０−Ｂは、ｅノードＢ７１０−Ａを異なるオペレータに属するものとして識別することができ、ｅノードＢ７１０−Ａからの信号を除去する。
【００５４】
１つの構成において、物理セル識別子（ＰＣＩｓ）のリストは、ブラックリストを使用して提供され得る。存在する規格の一部であるブラックリストは、セル除去機能に関連しない。ブラックリストは一般的に、ＵＥがセルからのサービスを得ようとすること、またはＵＥがブラックリストに示されるセルのための測定を報告することを防止する。本開示によると、規格のブラックリスト（standard blacklist）は、信号除去のためのＰＣＩのリストを提供するために改訂されおよび／または適用され得る。代わりに、除去リストが、おそらく規格のブラックリストに基づいて、生成され得る。この構成において、ＵＥは、除去リストからの物理セル識別子が、基地局のオペレータがＵＥのオペレータと異なることを示す場合、基地局からの信号を除去する。
【００５５】
図８は、開示の一態様に係る、改善されたスペクトル共有を提供するためのセル除去のための方法８００を示す。ブロック８１０において、ＵＥは、セルからの干渉を検出する。本開示の一態様において、セルの干渉する基地局が、拡張された干渉協調および除去（ｅＩＣＩＣ：enhanced interference coordination and cancellation）をサポートするネットワークに存在する。ブロック８１２において、ＵＥは、セルに対応する物理セル識別子が受信された除去リストに示される場合、セルからの信号を除去する。本開示の一態様において、物理セル識別子に対応するセルのオペレータは、ＵＥのオペレータと異なる。本開示のこの態様において、上述した様に、除去リストはブラックリストであり得る。
【００５６】
図９は、セル除去システム９１４を用いる装置９００のためのハードウェア実現の例を示す図である。セル除去システム９１４は、バス９２４によって一般的に表される、バスアーキテクチャを用いて実現されることができる。バス９２４は、セル除去システム９１４の特定の用途と全体的な設計の制約に依存して、任意の数の相互接続バスおよびブリッジを含むことができる。バス９２４は、プロセッサ９２２、検出モジュール９０２、除去モジュール９０４、およびコンピュータ読取可能な媒体９２６によって表された、１つ以上のプロセッサおよび／またはハードウェアモジュールを含むさまざまな回路をともにリンクさせる。バス９２４はまた、タイミングソース、周辺機器、電圧レギュレータ、電力管理回路といったさまざまな他の回路をリンクさせることもできるが、これらは、当該技術でよく知られているので、これ以上説明しない。
【００５７】
装置は、トランシーバ９３０に結合されたセル除去システム９１４を含む。トランシーバ９３０は、１つ以上のアンテナ９２０に結合される。トランシーバ９３０は、伝送媒体を介してさまざまな他の装置と通信することを可能にする。セル除去システム９１４は、コンピュータ読取可能な媒体９２６に結合されたプロセッサ９２２を含む。プロセッサ９２２は、コンピュータ読取可能な媒体９２６に記憶されたソフトウェアの実行を含む、一般的な処理を担う。このソフトウェアは、プロセッサ９２２によって実行されると、セル除去システム９１４に、任意の特定の装置に関して説明されるさまざまな機能を実行させる。コンピュータ読取可能な媒体９２６はまた、ソフトウェアを実行する場合にプロセッサ９２２によって操作されるデータを記憶するために使用されることもできる。
【００５８】
セル除去システム９１４は、セルからの干渉を検出するための検出モジュール９０２を含む。セル除去システム９１４はまた、セルに対応する物理セル識別子が除去リストにおいて示される場合にセルからの信号を除去するための、除去モジュール９０４を含む。モジュールは、プロセッサ９２２において実行中の、コンピュータ読取可能な媒体９２６に存在し／記憶されたソフトウェアモジュール、プロセッサ９２２に結合された１つ以上のハードウェアモジュール、またはそれらの何らかの組み合わせであることができる。セル除去システム９１４は、ＵＥ６５０のコンポーネントであることができ、メモリ６６２および／またはコントローラ／プロセッサ６６０を含むことができる。
【００５９】
１つの構成では、ＵＥ６５０は、セルからの干渉を検出する手段を含む無線通信のために構成される。一態様において、検出する手段は、検出する手段によって記載された機能を実行するように構成された、コントローラ／プロセッサ６６０、およびメモリ６６２、受信プロセッサ６５６、アンテナ６５２、および／または受信機６５４ＲＸであることができる。ＵＥ６５０はまた、セルに対応する物理セル識別子が除去リストに示される場合、セルからの信号を除去する手段を含むように構成される。一態様において、除去する手段は、除去する手段によって記載された機能を実行するように構成された、コントローラ／プロセッサ６６０、および／またはメモリ６６２であることができる。別の態様において、上述された手段は、上述された手段によって記載された機能を実行するように構成されたモジュールまたは任意の装置であり得る。
【００６０】
本開示のさらなる態様において、改善されたスペクトル共有を提供するための、適応可能な無線リンク失敗（ＲＬＦ）トリガが説明される。１つの構成において、ＲＬＦトリガは、干渉が別のオペレータから検出される場合、速められる。特に、十分な信号条件を検出するＲＬＦタイマおよび／またはしきい値は、干渉が、別のオペレータのｅノードＢからであるか、または同一の帯域における無線アクセス技術（ＲＡＴ）からであるかに依存し得る。本開示の一態様において、ＲＬＦタイマの値は、干渉物（たとえば、干渉のソースのＰＣＩ）のセル識別子にしたがって、選択されることができる。本開示のさらなる態様において、十分な信号条件を検出するためのしきい値は、無線リンク失敗（ＲＬＦ）の検出および／または宣言を速めるために増加されることができる。
【００６１】
１つの構成において、ＲＬＦトリガ（例えば、タイマ）は、干渉が、受信された除去リストにしたがって、別のオペレータのｅノードＢから検出される場合、速められる。この構成において、無線リンク失敗は、干渉が別のオペレータ（たとえば、別の無線アクセス技術（ＲＡＴ））のｅノードＢからである場合、より早く宣言される。本開示のこの態様において、低減されたＲＬＦタイマ、または無線リンク失敗を検出するためのより高いしきい値が可能である。１つの構成において、ＲＬＦタイマは、無線リンク失敗がトリガされる前、チャネル状況が低品質のままである持続時間に言及する。この構成において、増加されたしきい値が、受け入れ可能な信号強度条件（acceptable signal strength conditions）を決定するために使用される。受け入れ可能な信号強度条件は、信号対雑音比（ＳＮＲ：signal to noise ratio）、フレームエラー率、等から決定され得る。この構成において、低減されたＲＬＦタイマまたは増加されたしきい値が、受け入れ可能な信号強度条件の検出を可能にするかどうかにかかわらず、無線リンク失敗の宣言が、速められる。
【００６２】
別のオペレータ（例えば、別のＲＡＴ）からのスペクトル共有干渉は、ＵＥが干渉のソースの非常に近くに動いた場合、現在のサービス提供セルにおいて継続されるサービスの低減された機会をもたらし得る。特に、干渉のソースが、異なるオペレータまたは異なる無線アクセス技術である場合、ｅＩＣＩＣといった干渉除去は、異なるオペレータからのＵＥからの抑圧（mitigation）が制限されるため、十分でない。反対に、干渉のソースが同一のオペレータからである場合、ＵＥのｅノードＢは、干渉（例えば、別のセルへのハンドオーバ）を抑圧するために、ｅノードＢ干渉ソースとともに動作することができる。干渉の実質的な部分は、同一の地理的エリア内のスペクトル共有中、除去され得るが、干渉除去は、制限され得る。特に、ＵＥが別のオペレータのＵＥに非常に近い場合、干渉が失敗を引き起こし得る。チャネル状況を決定するためのＲＬＦタイマおよび／またはしきい値を調節することによって、同一の地理的領域内のスペクトル共有が改善される。
【００６３】
図１０は、開示の一つの態様にしたがって、改善されたスペクトル共有を提供するための、適応可能な無線リンク失敗（ＲＬＦ）トリガのための方法１０００を示す。ブロック１０１０において、ＵＥは、セルからの干渉を検出する。本開示の一態様において、セルの干渉する基地局が、拡張された干渉協調および除去（ｅＩＣＩＣ）をサポートするネットワークに存在する。ブロック１０１２において、ＵＥは、セルに関連する干渉物（例えば、干渉のソース）のセル識別にしたがって、無線リンク失敗（ＲＬＦ）トリガを調節する。本開示の一態様において、ＲＬＦトリガは、セルのオペレータがユーザ機器のオペレータと異なる場合、低減される。本開示のこの態様において、除去リストは、干渉のセル識別を提供するために、同一の地理的領域内で他のオペレータからのセルの物理セル識別子を含むことができる。１つの構成において、除去リストは、上述したようにブラックリストから適応され得る。この構成において、ＲＬＦトリガは、ブラックリストからの物理セル識別子が基地局のオペレータがＵＥのオペレータと異なることを示す場合、速められる。
【００６４】
図１１は、適応可能な無線リンク失敗システム１１１４を用いる装置１１００のためのハードウェア実現の例を示す図である。適応可能な無線リンク失敗システム１１１４は、バス１１２４によって一般的に表されたバスアーキテクチャを用いて実現されることができる。バス１１２４は、適応可能な無線リンク失敗システム１１１４の特定の用途と全体的な設計の制約に依存して、任意の数の相互接続バスおよびブリッジを含むことができる。バス１１２４は、プロセッサ１１２２、検出モジュール１１０２、調節モジュール１１０４、およびコンピュータ読取可能な媒体１１２６によって表された、１つ以上のプロセッサおよび／またはハードウェアモジュールを含むさまざまな回路をともにリンクさせる。バス１１２４はまた、タイミングソース、周辺機器、電圧レギュレータ、電力管理回路といったさまざまな他の回路をリンクさせることもできるが、これらは、当該技術でよく知られているので、これ以上説明しない。
【００６５】
装置は、トランシーバ１１３０に結合される適応可能な無線リンク失敗システム１１１４を含む。トランシーバ１１３０は、１つ以上のアンテナ１１２０に結合される。トランシーバ１１３０は、伝送媒体を介してさまざまな他の装置と通信することを可能にする。適応可能な無線リンク失敗システム１１１４は、コンピュータ読取可能な媒体１１２６に結合されたプロセッサ１１２２を含む。プロセッサ１１２２は、コンピュータ読取可能な媒体１１２６に記憶されたソフトウェアの実行を含む、一般的な処理を担う。このソフトウェアは、プロセッサ１１２２によって実行されると、適応可能な無線リンク失敗システム１１１４に、任意の特定の装置に関して説明されるさまざまな機能を実行させる。コンピュータ読取可能な媒体１１２６はまた、ソフトウェアを実行する場合にプロセッサ１１２２によって操作されるデータを記憶するために使用されることもできる。
【００６６】
適応可能な無線リンク失敗システム１１１４は、セルからの干渉を検出するための検出モジュール１１０２を含む。適応可能な無線リンク失敗システム１１１４はまた、干渉物のセル識別にしたがって、無線リンク失敗トリガを調節するための、調節モジュール１１０４を含む。モジュールは、プロセッサ１１２２において実行中の、コンピュータ読取可能な媒体１１２６に存在し／記憶されたソフトウェアモジュール、プロセッサ１１２２に結合された１つ以上のハードウェアモジュール、またはそれらの何らかの組み合わせであることができる。適応可能な無線リンク失敗１１１４は、ＵＥ６５０のコンポーネントであることができ、メモリ６６２、および／またはコントローラ／プロセッサ６６０を含むことができる。
【００６７】
１つの構成では、ＵＥ６５０は、セルからの干渉を検出する手段を含む無線通信のために構成される。一態様において、検出する手段は、検出する手段により記載された機能を実行するように構成されたコントローラ／プロセッサ６６０、およびメモリ６６２、受信プロセッサ６５６、受信機６５４ＲＸ、および／またはアンテナ６５２であり得る。ＵＥ６５０はまた、干渉物（例えば、干渉のソース）のセル識別にしたがって、無線リンク失敗トリガを調節するための手段を含むように構成される。一態様において、調整する手段は、調整する手段により記載された機能を実行するように構成されたコントローラ／プロセッサ６６０および／またはメモリ６６２であることができる。別の態様において、上述された手段は、上述された手段によって記載された機能を実行するように構成されたモジュールまたは任意の装置であり得る。
【００６８】
当業者はさらに、本明細書における開示に関連して説明されたさまざまな例示的な論理ブロック、モジュール、回路、およびアルゴリズムステップが、電子ハードウェア、コンピュータソフトウェア、または両者の組み合わせとして実現され得る、ということを理解するだろう。ハードウェアおよびソフトウェアのこの互換性を明確に例示するために、多様な例示的なコンポーネント、ブロック、モジュール、回路、およびステップが、一般にそれらの機能の観点から上記で説明されている。そのような機能がハードウェアとして実現されるかソフトウェアとして実現されるかは、システム全体に課された特定の用途および設計の制約に依存する。当業者は、説明された機能を、各特定の用途ごとに異なる手法で実現することができるが、そのような実現の決定は、本開示の範囲からの逸脱を生じるものとして解釈されるべきではない。
【００６９】
ここでの開示に関連して説明された様々な例示的な論理ブロック、モジュール、および回路は、汎用プロセッサ、デジタル信号プロセッサ(ＤＳＰ)、特定用途向け集積回路(ＡＳＩＣ)、フィールドプログラマブルゲートアレイ(ＦＰＧＡ）、あるいは他のプログラマブル論理デバイス、ディスクリートゲートあるいはトランジスタロジック、ディスクリートハードウェアコンポーネント、あるいは、ここに説明された機能を実行するように設計されたそれらのいずれの組み合わせ、で実装または実行されうる。汎用プロセッサは、マイクロプロセッサであることができるが、その代わりに、プロセッサは、任意の従来のプロセッサ、コントローラ、マイクロコントローラ、またはステートマシンであることができる。プロセッサはまた、コンピューティングデバイスの組み合わせ、たとえば、ＤＳＰとマイクロプロセッサとの組み合わせ、複数のマイクロプロセッサ、ＤＳＰコアと結合された１つ以上のマイクロプロセッサ、または任意の他のそのような構成として、実現されることもできる。
【００７０】
本明細書における開示に関連して説明された方法またはアルゴリズムのステップは、ハードウェアで直接的に、プロセッサによって実行されるソフトウェアモジュールで、または両者の組み合わせで、具現化されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当該技術で周知の任意の他の形態の記憶媒体の中に存在することができる。例示的な記憶媒体は、プロセッサが記憶媒体から情報を読み取り、記憶媒体に情報を書き込むことができるように、プロセッサに結合される。代替において、記憶媒体は、プロセッサと一体化されうる。プロセッサおよび記憶媒体は、ＡＳＩＣ内に存在しうる。ＡＳＩＣは、ユーザ端末内に存在しうる。あるいは、プロセッサおよび記憶媒体は、ユーザ端末内の離散コンポーネントとして存在することができる。
【００７１】
１つ以上の例示的な設計において、説明された機能は、ハードウェア、ソフトウェア、ファームウェア、またはそれらの任意の組み合わせで実現されることができる。ソフトウェアで実現される場合、機能は、コンピュータ読取可能な媒体において、１つ以上の命令またはコードとして、記憶または伝送されることができる。コンピュータ読取可能な媒体は、ある場所から別の場所へのコンピュータプログラムの転送を容易にする任意の媒体を含む通信媒体とコンピュータ記憶媒体との両方を含む。記憶媒体は、汎用または専用コンピュータによってアクセスされることができる任意の入手可能な媒体であることができる。限定ではなく例として、そのようなコンピュータ読取可能な媒体は、ＲＡＭ、ＲＯＭ、ＥＥＰＲＯＭ、ＣＤ−ＲＯＭ、または他の光ディスク記憶装置、磁気ディスク記憶装置、または他の磁気記憶デバイス、または、命令またはデータ構造の形態で所望のプログラムコード手段を搬送または記憶するために使用されることができ、かつ、汎用または専用コンピュータ、または汎用または専用プロセッサによってアクセスされることができる任意の他の媒体を備え得る。また、任意の接続は、コンピュータ読取可能な媒体と適切に称される。例えば、ソフトウェアが、同軸ケーブル、光ファイバーケーブル、ツイストペア、デジタル加入者回線（ＤＳＬ）、または赤外線、電波、およびマイクロ波のような無線技術を使用して、ウェブサイト、サーバ、または他の遠隔ソースから送信される場合には、この同軸ケーブル、光ファイバーケーブル、ツイストペア、ＤＳＬ、または赤外線、電波、およびマイクロ波のような無線技術は、媒体の定義に含まれる。本明細書で使用したディスク（ｄｉｓｋ）およびディスク（ｄｉｓｃ）は、コンパクトディスク（ＣＤ）、レーザディスク、光ディスク、デジタル汎用ディスク（ＤＶＤ）、フロッピー（登録商標）ディスク、およびブルーレイ（登録商標）ディスクを含むが、一般的に、ディスク（ｄｉｓｋ）は、データを磁気的に再生する一方で、ディスク（ｄｉｓｃ）はデータをレーザによって光学的に再生する。上記の組み合わせもまた、コンピュータ読取可能な媒体の範囲内に含まれるべきである。
【００７２】
本開示の先の説明は、当業者が本開示を行なうまたは使用することを可能にするために提供される。本開示に対するさまざまな変更は、当業者に容易に理解され、本明細書において定義された一般的な原理は、本開示の精神または範囲から逸脱せずに、他の変形例に適用されることができる。したがって、本開示は、本明細書において説明された例および設計に限定されることは意図せず、本明細書に開示された原理および新規な特徴と一致する最も広い範囲が付与されるべきである。
以下に、本願出願の当初の特許請求の範囲に記載された発明を付記する。
［Ｃ１］
セルからの干渉を検出することと、
前記セルに対応する物理セル識別子が除去リストに示される場合、前記セルからの信号を除去することと、
を含む、無線通信の方法。
［Ｃ２］
前記検出することは、ユーザ機器によって、前記セルと関連する基地局からの干渉を検出することを含み、
前記除去することは、前記除去リストからの前記物理セル識別子が、前記基地局のオペレータが前記ユーザ機器のオペレータと異なることを示す場合、前記基地局からの信号を除去することを含む、
Ｃ１に記載の方法。
［Ｃ３］
前記除去リストとしてブラックリストを受信することをさらに含み、
前記除去することは、基地局に対応する前記物理セル識別子が前記ブラックリストから識別される場合、前記セルと関連する前記基地局からの前記信号を除去することを含む、
Ｃ１に記載の方法。
［Ｃ４］
前記検出することは、ユーザ機器によって実行され、前記物理セル識別子に対応する前記セルのオペレータは、前記ユーザ機器のオペレータと異なる、Ｃ１に記載の方法。
［Ｃ５］
ユーザ機器内の無線通信の方法であって、
セルからの干渉を検出することと、
前記セルに関連する干渉物のセル識別にしたがって無線リンク失敗トリガを調節することと、
を含む、方法。
［Ｃ６］
前記検出することは、前記セルと関連する基地局からの干渉を検出することを含む、Ｃ５に記載の方法。
［Ｃ７］
前記調節することは、除去リストからの物理セル識別子が、基地局のオペレータが前記ユーザ機器のオペレータと異なることを示す場合、前記無線リンク失敗トリガを速めることを含む、Ｃ５に記載の方法。
［Ｃ８］
前記除去リストとしてブラックリストを受信することをさらに含む、Ｃ７に記載の方法。
［Ｃ９］
前記調節することは、前記干渉物が別の無線アクセス技術である場合、前記無線リンク失敗トリガを速めることを含む、Ｃ５に記載の方法。
［Ｃ１０］
除去リストにしたがって、少なくとも１つの物理セル識別子に対応する信号を除去すること、
をさらに含み、前記少なくとも１つの物理セル識別子に対応する前記セルのオペレータは、前記ユーザ機器のオペレータとは異なり、
前記調節することは、前記セルからの干渉があらかじめ定められたレベルよりも大きい場合、前記無線リンク失敗トリガを速めることを含む、
Ｃ５に記載の方法。
［Ｃ１１］
前記干渉物にしたがって、無線リンク失敗タイマのための値を選択することをさらに含む、Ｃ５に記載の方法。
［Ｃ１２］
前記干渉物は、
前記ユーザ機器のオペレータと異なるオペレータに関連する基地局と、
前記ユーザ機器の無線アクセス技術と異なる無線アクセス技術と、
のうちの１つを含む、Ｃ５に記載の方法。
［Ｃ１３］
前記調節することは、信号強度しきい値にしたがって前記無線リンク失敗トリガを速めることを含む、Ｃ５に記載の方法。
［Ｃ１４］
無線通信のための装置であって、
メモリと、
前記メモリと結合された少なくとも１つのプロセッサであって、
セルからの干渉を検出し、
前記セルと対応する物理セル識別子が除去リストに示される場合、前記セルからの信号を除去するように構成されるプロセッサと、を含む、装置。
［Ｃ１５］
前記少なくとも１つのプロセッサはさらに、前記除去リストとしてブラックリストを受信するように構成され、
前記少なくとも１つのプロセッサはさらに、前記基地局に対応する前記物理セル識別子が前記ブラックリストから識別される場合、前記セルと関連する基地局からの前記信号を除去することによって、前記信号を除去するように構成される、
Ｃ１４に記載の装置。
［Ｃ１６］
無線通信のために構成されたコンピュータプログラム製品であって、前記コンピュータプログラム製品は、
プログラムコードを記録した非一時的なコンピュータ読取可能な媒体を含み、前記非一時的なプログラムコードは、
セルからの干渉を検出するためのプログラムコードと、
前記セルに対応する物理セル識別子が除去リストに示される場合、前記セルからの信号を除去するためのプログラムコードと、
を含む、コンピュータプログラム製品。
［Ｃ１７］
無線通信のために動作可能な装置であって、前記装置は、
セルからの干渉を検出する手段と、
前記セルに対応する物理セル識別子が除去リストに示される場合、前記セルからの信号を除去するための手段と、
を含む、装置。
［Ｃ１８］
無線通信のための装置であって、
メモリと、
前記メモリに結合された少なくとも１つのプロセッサであって、
セルからの干渉を検出し、
前記セルと関連する干渉物のセル識別にしたがって無線リンク失敗トリガを調節するように構成されるプロッサと、を含む、装置。
［Ｃ１９］
前記少なくとも１つのプロセッサはさらに、除去リストからの物理セル識別子が、基地局のオペレータが前記ユーザ機器のオペレータと異なることを示す場合、前記無線リンク失敗トリガを速めることによって前記無線リンク失敗トリガを調節するように構成される、Ｃ１８に記載の装置。
［Ｃ２０］
無線通信のために構成されたコンピュータプログラム製品であって、前記コンピュータプログラム製品は、
プログラムコードを記録した非一時的なコンピュータ読取可能な媒体を含み、前記非一時的なプログラムコードは、
セルからの干渉を検出するためのプログラムコードと、
前記セルに関連する干渉物のセル識別にしたがって無線リンク失敗トリガを調節するためのプログラムコードと、
を含む、コンピュータプログラム製品。
［Ｃ２１］
無線通信のために動作可能な装置であって、
セルからの干渉を検出するための手段と、
前記セルに関連する干渉物のセル識別にしたがって無線リンク失敗トリガを調節するための手段と、
を含む、装置。
【図１】
0005890035.tif 000002
【図２】
0005890035.tif 000003
【図３】
0005890035.tif 000004
【図４】
0005890035.tif 000005
【図５】
0005890035.tif 000006
【図６】
0005890035.tif 000007
【図７】
0005890035.tif 000008
【図８】
0005890035.tif 000009
【図９】
0005890035.tif 000010
【図１０】
0005890035.tif 000011
【図１１】
0005890035.tif 000012